(57)【要約】【課題】  直流電源から安定化電源を生成するための電源装置及び電源生成方法に関し、効率よく、かつ、安定して安定化電源を生成することができる電源装置及び電源生成方法を提供することを目的とする。【解決手段】  本発明は、直流電源電圧から所定の安定化電源電圧を生成する電源装置において、直流電源電圧より少なくとも一方の極性の電圧が安定化したパルス状電圧を生成するパルス電圧生成手段（１０１）と、パルス電圧生成手段（１０１）で生成されたパルス状電圧のうち安定した極性の側の電圧によりキャパシタを充電し、キャパシタの充電電圧により出力安定化電源電圧を生成する安定化電源電圧生成手段（１０４）とを有することを特徴とする。【選択図】   図１
2006191715.tif 000002
【特許請求の範囲】
【請求項１】
直流電源電圧から所定の安定化電源電圧を生成する電源装置において、
前記直流電源電圧より少なくとも一方の極性の電圧が安定したパルス状電圧を生成するパルス電圧生成手段と、
前記パルス電圧生成手段で生成されたパルス状電圧のうち安定した極性の側の電圧によりキャパシタを充電し、該キャパシタの充電電圧により前記安定化電源電圧を生成する電安定化電源電圧生成手段とを有することを特徴とする電源回路。
【請求項２】
前記パルス電圧生成手段は、スイッチング電源回路で生成されるパルス電圧を抽出して、前記パルス状電圧とすることを特徴とする請求項１記載の電源回路。
【請求項３】
前記パルス電圧生成手段は、前記パルス状電圧を、前記安定化電源電圧生成手段の出力電圧に基づいてパルス幅変調することを特徴とする請求項１又は２記載の電源回路。
【請求項４】
前記安定化電源電圧生成手段は、複数のキャパシタを含み、
前記パルス電圧生成手段でパルス状電圧のうち安定した極性の側の電圧により、前記複数のキャパシタの各々を充電し、前記複数のキャパシタの充電後の前記複数のキャパシタの充電電圧を重畳することにより、前記安定化電源電圧を生成することを特徴とする請求項１乃至３のいずれか一項記載の電源回路。
【請求項５】
前記安定化電源電圧生成手段は、前記複数のキャパシタの段数に応じた複数種類の安定化電源電圧を生成することを特徴とする請求項４記載の電源回路。
【請求項６】
前記安定化電源電圧生成手段は、前記複数のキャパシタの充電電圧を正極性方向に重畳することにより、正極性の安定化電源電圧を生成することを特徴とする請求項４又は５記載の電源回路。
【請求項７】
前記安定化電源電圧生成手段は、前記複数のキャパシタの充電電圧を負極性方向に重畳することにより、負極性の安定化電源電圧を生成することを特徴とする請求項４乃至６のいずれか一項記載の電源回路。
【請求項８】
直流電源電圧から所定の安定化電源電圧を生成する電源生成方法において、
前記直流電源電圧から少なくとも一方の極性の電圧が安定化されたパルス状電圧を生成し、
生成されたパルス状電圧のうち安定化した極性の側の電圧によりキャパシタを充電し、該キャパシタの充電電圧により前記出力安定化電源電圧を生成することを特徴とする電源生成方法。
【請求項９】
スイッチング電源回路で生成されるパルス電圧を抽出して、前記パルス状電圧とすることを特徴とする請求項８記載の電源生成方法。
【請求項１０】
前記パルス状電圧は、前記安定化電源電圧生成手段の出力電圧に基づいてパルス幅変調されていることを特徴とする請求項８又は９記載の電源生成方法。
【請求項１１】
前記パルス状電圧のうち安定した極性の側の電圧により、複数のキャパシタの各々を充電し、該複数のキャパシタの充電後、該複数のキャパシタの充電電圧を重畳することにより、前記安定化電源電圧を生成することを特徴とする請求項８乃至１０のいずれか一項記載の電源生成方法。
【請求項１２】
前記複数のキャパシタの充電電圧を重畳する段数に応じて複数種類の安定化電源電圧を生成することを特徴とする請求項１１記載の電源生成方法。
【請求項１３】
前記複数のキャパシタの充電電圧を正極性方向に重畳することにより、正極性の安定化電源電圧を生成することを特徴とする請求項１１又は１２記載の電源生成方法。
【請求項１４】
前記複数のキャパシタの充電電圧を負極性方向に重畳することにより、負極性の安定化電源電圧を生成することを特徴とする請求項１１乃至１３のいずれか一項記載の電源生成方法。
【発明の詳細な説明】
【技術分野】
【０００１】
本発明は電源装置及び電源生成方法に係り、特に、直流電源から安定化電源を生成するための電源装置及び電源生成方法に関する。
【背景技術】
【０００２】
異なる電源電圧を生成する電源装置では、一つの直流電源電圧から異なる電源電圧を安定して得られることが求められていた。このような電源装置として、例えば、中電圧を得るＤＣコンバータと中電圧を高電圧とするチャージポンプ式レギュレータとを搭載した電源装置が提案されていた（特許文献１参照）。
【０００３】
また、ＤＣコンバータとチャージポンプ式レギュレータにより多出力を得るＣＣＤ駆動用電源装置が提案されていた（特許文献２参照）。
【０００４】
さらに、スイッチング電源とチャージポンプ式電源を組み合わせたプラスマイナスの電圧を供給する多出力スイッチングレギュレータが提案されていた（特許文献３）。
【０００５】
【特許文献１】特開平８−２９７９８６号公報
【特許文献２】特開平１１−１１２８５０号公報
【特許文献３】特開平５−２１９７３８号公報
【発明の開示】
【発明が解決しようとする課題】
【０００６】
しかるに、従来のこの種の電源装置は、回路構成が複雑であり、効率が悪いなどの問題点があった。
【０００７】
本発明は上記の点に鑑みてなされたもので、効率よく、かつ、安定して安定化電源を生成することができる電源装置及び電源生成方法を提供することを目的とする。
【課題を解決するための手段】
【０００８】
本発明は、直流電源電圧から所定の安定化電源電圧を生成する電源装置において、直流電源電圧より少なくとも一方の極性の電圧が安定化したパルス状電圧を生成するパルス電圧生成手段（１０１）と、パルス電圧生成手段（１０１）で生成されたパルス状電圧のうち安定した極性の側の電圧によりキャパシタ（Ｃ２、Ｃ３、Ｃ４；Ｃ22、Ｃ23）を充電し、キャパシタ（Ｃ２、Ｃ３、Ｃ４；Ｃ22、Ｃ23）の充電電圧により出力安定化電源電圧を生成する安定化電圧生成手段（１０４；２０４）とを有することを特徴とする。
【０００９】
また、パルス電圧生成手段（１０１）は、スイッチング電源回路で生成されるパルス電圧を抽出して、パルス状電圧とすることを特徴とする。
【００１０】
さらに、パルス電圧生成手段（１０１）は、パルス状電圧を、安定化電源電圧生成手段（１０４；２０４）の出力電圧に基づいてパルス幅変調することを特徴とする。
【００１１】
安定化電源電圧生成手段（１０４；２０４）は、複数のキャパシタ（Ｃ２、Ｃ３、Ｃ４；Ｃ22、Ｃ23）を有し、パルス電圧生成手段（１０１）でパルス状電圧のうち安定した極性の側の電圧により、複数のキャパシタ（Ｃ２、Ｃ３、Ｃ４；Ｃ22、Ｃ23）の各々を充電し、複数のキャパシタ（Ｃ２、Ｃ３、Ｃ４；Ｃ22、Ｃ23）の充電後の複数のキャパシタ（Ｃ２、Ｃ３、Ｃ４；Ｃ22、Ｃ23）の充電電圧を重畳することにより、安定化電源電圧を生成することを特徴とする。
【００１２】
さらに、安定化電源電圧生成手段（１０４）は、複数のキャパシタ（Ｃ２、Ｃ３、Ｃ４）の充電電圧を正極性方向に重畳することにより、正極性の安定化電源電圧を生成することを特徴とする。
【００１３】
また、安定化電源電圧生成手段（２０４）は、複数のキャパシタ（Ｃ22、Ｃ23）の充電電圧を負極性方向に重畳することにより、負極性の安定化電源電圧を生成することを特徴とする。
【００１４】
なお、上記参照符号は、あくまでも参考であり、これによって、特許請求の範囲が限定されるものではない。
【発明の効果】
【００１５】
本発明によれば、直流電源電圧から少なくとも一方の極性側の電圧が安定化したパルス状電圧を生成し、生成されたパルス状電圧をキャパシタに重畳することにより出力安定化電源電圧を生成することにより、効率良く、かつ、安定した電源を生成できるなどの特長を有する。
【発明を実施するための最良の形態】
【００１６】
〔第１実施例〕
〔構成〕
図１は本発明の第１実施例の回路構成図を示す。
【００１７】
本実施例の電源装置１００は、パルス生成回路１０１、制御回路１０２、負極性電源電圧生成回路１０３、正極性電源電圧生成回路１０４から構成され、端子Ｔin1と端子Ｔin2との間に直流電源Ｅ１より直流電圧が印加されている。端子Ｔin1と端子Ｔin2との間に印加された直流電圧は、パルス生成回路１０１に印加される。
【００１８】
パルス生成回路１０１は、スイッチＳ１及びインダクタＬ１から構成される。スイッチＳ１は、端子Ｔin1とインダクタＬ１との間に接続されている。スイッチＳ１には、制御回路１０２よりスイッチングパルスが供給される。スイッチＳ１は、制御回路１０２からのスイッチングパルスに応じてスイッチングされる。インダクタＬ１は、例えば、コイルなどから構成されており、一端がスイッチＳ１に接続され、他端が端子Ｔin2に接続されている。
【００１９】
図２は制御回路１０２のブロック構成図を示す。
【００２０】
制御回路１０２は、検出回路１１１、パルス幅変調回路１１２、発振回路１１３、スイッチ駆動回路１１４から構成される。検出回路１１１には、出力端子Ｔout3から出力電圧が供給されている。検出回路１１１は、出力端子Ｔout1の出力電圧Ｖout1に応じた検出電圧を生成する。検出回路１１１から出力された検出電圧は、パルス幅変調回路１１２に供給される。パルス幅変調回路１１２には、検出回路１１１からの検出電圧の他に、発振回路１１３から一定周波数のパルスが供給されている。
【００２１】
パルス幅変調回路１１２は、検出回路１１１から供給された検出電圧により発振回路１１３からのパルスをパルス幅変調する。パルス幅変調回路１１２でパルス幅変調された出力パルスは、スイッチＳ１に供給される。スイッチＳ１は、パルス幅変調回路１１２から供給された出力パルスによって、スイッチングされる。
【００２２】
また、発振回路１１３で生成されたパルスは、スイッチ駆動回路１１４に供給される。スイッチ駆動回路１１４は、発振回路１１３から供給された信号に基づいてスイッチＳ２〜Ｓ４をスイッチングするためのスイッチングパルスを生成する。スイッチ駆動回路１１４で生成されるスイッチングパルスは、スイッチＳ１のオフの期間にスイッチＳ２がオン、スイッチＳ３、Ｓ４がオフし、スイッチＳ１がオンの期間にスイッチＳ２がオフ、スイッチＳ３、Ｓ４がオンするように設定されている。
【００２３】
スイッチＳ１がスイッチングされることにより、インダクタＬ１にパルス状電流が流れる。これによって、インダクタＬ１には、流れるパルス状電流に応じたパルス状電圧が発生する。スイッチＳ１とインダクタＬ１との接続点は、負極性電源電圧生成回路１０３及び正極性電源電圧生成回路１０４に接続され、インダクタＬ１に発生したパルス状電圧は、負極性電源電圧生成回路１０３及び正極性電源電圧生成回路１０４に供給される。
【００２４】
負極性電源電圧生成回路１０３は、ダイオードＤ１及びキャパシタＣ１から構成されている。ダイオードＤ１は、カソードがパルス生成回路１０１のスイッチＳ１とインダクタＬ１との接続点に接続され、アノードがキャパシタＣ１と出力端子Ｔout1との接続点に接続されている。ダイオードＤ１は、スイッチＳ１とインダクタＬ１との接続点の電位が負極性のときにオンして、出力端子Ｔout1から電流を引き込む。
【００２５】
キャパシタＣ１は、一端がダイオードＤ１のアノードと出力端子Ｔout1との接続点に接続され、他端が端子Ｔin2に接続されている。キャパシタＣ１は、出力端子Ｔout1から引き込まれる電流を平滑化する。上記ダイオードＤ１、キャパシタＣ１の動作により出力端子Ｔout1は、負極性の直流電圧が出力される。
【００２６】
正極性電源電圧生成回路１０４は、スイッチＳ２〜Ｓ４、ダイオードＤ２〜Ｄ６、キャパシタＣ２〜Ｃ５から構成されている。
【００２７】
スイッチＳ２は、スイッチＳ１とインダクタＬ１との接続点とダイオードＤ２、Ｄ３のカソードとの接続点に接続される。スイッチＳ２には、制御回路１０２からスイッチングパルスが供給されている。スイッチＳ２は、制御回路１０２からのスイッチングパルスによりスイッチングされる。スイッチＳ２は、オン時にスイッチＳ１とインダクタＬ１との接続点とダイオードＤ２、Ｄ３のカソードとを接続し、オフ時にスイッチＳ１とインダクタＬ１との接続点とダイオードＤ２、Ｄ３のカソードとの接続を切断する。
【００２８】
スイッチＳ３及びダイオードＤ２、Ｄ４、Ｄ７並びにキャパシタＣ２、Ｃ５により出力端子Ｔout2の出力電圧が生成される。
【００２９】
ダイオードＤ２は、カソードがスイッチＳ２とダイオードＤ３との接続点に接続され、アノードがキャパシタＣ２及びスイッチＳ３の一端に接続されている。ダイオードＤ２は、スイッチＳ１とインダクタＬ１との接続点の電位が負極性となったときに、オンし、キャパシタＣ２の一端とスイッチＳ３の一端との接続点から電流を引き込む。
【００３０】
キャパシタＣ２は他端が、ダイオードＤ４のカソード、ダイオードＤ７のアノード、スイッチＳ４の一端との接続点に接続されている。キャパシタＣ２は、スイッチＳ２、及び、ダイオードＤ２がオン、スイッチＳ３、Ｓ４がオフのとき、ダイオードＤ４を通して正電荷が供給されて、供給された電荷を蓄積する。このとき、キャパシタＣ２の両端には、スイッチＳ１とインダクタＬ１との接続点の電圧に応じた電圧が発生する。
【００３１】
ダイオードＤ４は、アノードが端子Ｔin2に接続され、カソードがキャパシタＣ２の他端、ダイオードＤ７のアノード、スイッチＳ４の一端との接続点に接続されている。ダイオードＤ４は、スイッチＳ２がオンで、インダクタＬ１の一端が負電位であり、インダクタＬ１の他端が正電位のときにオンし、スイッチＳ２がオフになるとオフする。ダイオードＤ４は、オンのときにインダクタＬ１と端子Ｔin２との接続点から正電荷をキャパシタＣ２に供給する。
【００３２】
スイッチＳ３には、制御回路１０２からスイッチングパルスが供給されている。スイッチＳ３は、制御回路１０２からのスイッチングパルスに応じてスイッチングする。スイッチＳ３は、キャパシタＣ２の充電時にはオフし、キャパシタＣ２の放電時にはオンする。
【００３３】
ダイオードＤ７は、アノードがキャパシタＣ２及びダイオードＤ４のカソード並びにスイッチＳ４の一端との接続点に接続され、カソードがキャパシタＣ５の一端と出力端子Ｔout2との接続点に接続されている。ダイオードＤ７は、キャパシタＣ２の他端の電位がキャパシタＣ５の一端と端子Ｔout2の電位より大きいときに、オンする。キャパシタＣ５は、一端がダイオードＤ７のカソードと出力端子Ｔout2との接続点に接続され、他端が端子Ｔin2に接続されており、出力端子Ｔout2の出力電圧を平滑化する。
【００３４】
スイッチＳ４、ダイオードＤ３、Ｄ５、Ｄ６、キャパシタＣ３、Ｃ４により出力端子Ｔout3の出力電圧が生成される。
【００３５】
スイッチＳ４は、キャパシタＣ２の他端、及び、ダイオードＤ４のカソード、並びに、ダイオードＤ７のアノードとの接続点とキャパシタＣ３の一端との間に接続されている。スイッチＳ４は、キャパシタＣ３への充電時にオフし、放電時にオンする。キャパシタＣ３は、一端がスイッチＳ４に接続され、他端がダイオードＤ５のカソードとダイオードＤ６のアノードとの接続点に接続されている。キャパシタＣ３は、スイッチＳ２がオンで、かつ、スイッチＳ１とインダクタＬ１との接続点の電位が負電位のときに充電される。
【００３６】
ダイオードＤ５は、アノードが端子Ｔin2に接続され、カソードがキャパシタＣ３の他端とダイオードＤ６のアノードとの接続点に接続されている。ダイオードＤ５は、キャパシタＣ３の充電時にオンして、正電荷をキャパシタＣ３の他端に供給する。
【００３７】
ダイオードＤ６は、アノードがキャパシタＣ３の他端とダイオードＤ５のカソードとの接続点に接続され、カソードが出力端子Ｔout3とキャパシタＣ４の一端との接続点に接続されている。ダイオードＤ６は、キャパシタＣ３の放電時にオンされ、出力端子Ｔout3より出力電圧を出力する。
【００３８】
キャパシタＣ４は、一端がダイオードＤ６のカソードと出力端子Ｔout3との接続点に接続され、他端が端子Ｔin2に接続されている。キャパシタＣ４は、出力端子Ｔout3の出力電圧を平滑化する。
【００３９】
なお、キャパシタＣ２、Ｃ３は、スイッチＳ１、Ｓ３、Ｓ４がオフ、スイッチＳ２がオンしたときに、充電され、その両端には、各々電圧Ｖcが発生する。キャパシタＣ２、Ｃ３は、スイッチＳ２、がオフし、スイッチＳ１、Ｓ３、Ｓ４がオンしたときに、放電される。キャパシタＣ２、Ｃ３の放電時には、出力端子Ｔout2からは、キャパシタＣ２の充電電圧Ｖcが出力される。また、出力端子Ｔout3は、端子Ｔin2との間にキャパシタＣ２とキャパシタＣ３とが直列に接続された状態となるので、キャパシタＣ２の充電電圧ＶcとキャパシタＣ３の充電電圧Ｖcとを加算した電圧、（２×Ｖc）が出力される。
【００４０】
〔動作〕
次に、本実施例の電源装置１００の動作を説明する。
【００４１】
図３は本発明の第１実施例の動作説明図を示す。図３（Ａ）はスイッチＳ１、図３（Ｂ）はスイッチＳ２、図３（Ｃ）はスイッチＳ３、図３（Ｄ）はスイッチＳ４の状態を示している。
【００４２】
まず、時刻ｔ１〜ｔ２で、制御回路１０２により、スイッチＳ１をオンし、スイッチＳ２をオフする。次に、時刻ｔ２〜ｔ３で、制御回路１０２により、スイッチＳ１、Ｓ３、Ｓ４をオフし、スイッチＳ２をオンする。スイッチＳ１がオフすることにより、スイッチＳ１とインダクタＬ１との接続点の電位が負電位、端子Ｔin2とインダクタＬ１との接続点は正電位となる。このとき、発生される電位は安定化された電位となっている。このとき、スイッチＳ２はオンされ、スイッチＳ３、Ｓ４はオフされている。
【００４３】
スイッチＳ１とインダクタＬ１との接続点の電位が負電位となることにより、ダイオードＤ１がオンし、出力端子Ｔout1から電流が引き込まれ、出力端子Ｔout1の電圧は負極性の電圧（−Ｖ１）が出力される。また、ダイオードＤ２、Ｄ４がオンし、端子Ｔin2とインダクタＬ１との接続点からキャパシタＣ２に電流が流れ、キャパシタＣ２が充電される。さらに、ダイオードＤ５、Ｄ３がオンし、端子Ｔin2とインダクタＬ１との接続点からキャパシタＣ３に電流が流れ、キャパシタＣ３が充電される。
【００４４】
次に、制御回路１０２は、時刻ｔ３〜ｔ４でスイッチＳ１、Ｓ３、Ｓ４をオンし、スイッチＳ２をオフする。スイッチＳ２がオフされ、スイッチＳ３、Ｓ４がオンされると、キャパシタＣ２の負電位側が端子Ｔin2に接続され、キャパシタＣ２の正電位側がキャパシタＣ３の負電位側に接続される。
【００４５】
これによって、キャパシタＣ２の正電位側には、キャパシタＣ２の充電電圧Ｖcが発生し、キャパシタＣ３の正電位側には、キャパシタＣ２の充電電圧ＶcとキャパシタＣ３の充電電圧Ｖcとを重畳した電圧（２×Ｖｃ）が発生する。これによって、ダイオードＤ７、Ｄ６がオンし、出力端子Ｔout2から出力電圧Ｖｃ、出力端子Ｔout3から出力電圧（２×Ｖｃ）が出力される。
【００４６】
制御回路１０２は、時刻ｔ２〜ｔ３のスイッチＳ１、Ｓ３、Ｓ４をオフし、スイッチＳ２をオンする状態と、時刻ｔ１〜ｔ２、ｔ３〜ｔ４のスイッチＳ１、Ｓ３、Ｓ４をオンし、スイッチＳ２をオフする状態とを繰り返す。これによって、出力端子Ｔout1から出力電圧（−Ｖ１）、出力端子Ｔout2から出力電圧Ｖｃ、出力端子Ｔout3から出力電圧（２×Ｖｃ）を出力することができる。このとき、出力端子Ｔout1の出力電圧（−Ｖ１）は、平滑用キャパシタＣ１により平滑化され、安定化される。また、出力端子Ｔout2の出力電圧Ｖｃは、平滑用キャパシタＣ５により平滑化され、安定化される。さらに、出力端子Ｔout3の出力電圧（２×Ｖｃ）は、平滑用キャパシタＣ４により平滑化され、安定化される。
【００４７】
なお、本実施例では、スイッチＳ１とスイッチＳ２〜Ｓ４とのスイッチングが略同時に行なわれているが、スイッチＳ２〜４は、図３に破線で示すようにスイッチＳ１のオン期間内にオンすれば、これに限定されるものではない。
【００４８】
また、制御回路１０２には、出力端子Ｔout1、Ｔout2、Ｔout3の出力電圧（−Ｖ１）、Ｖｃ、（２×Ｖｃ）が供給されており、出力電圧（−Ｖ１）、Ｖｃ、（２×Ｖｃ）が一定となるようにスイッチＳ１〜Ｓ４のオン期間とオフ期間とのデューティー比が制御される。
【００４９】
〔第２実施例〕
図４は本発明の第２実施例の回路構成図を示す。同図中、図１と同一構成部分には同一符号を付し、その説明は省略する。
【００５０】
本実施例の電源装置２００は、第１実施例の正極性電源電圧生成回路１０４に代えて、第２の負極性電源電圧生成回路２０４を設けた構成とされている。
【００５１】
本実施例の負極電源電圧生成回路２０４は、スイッチＳ21、Ｓ22、ダイオードＤ21、Ｄ22、キャパシタＣ21、Ｃ22、Ｃ23から構成されており、出力端子Ｔout21から出力電圧｛２×（−Ｖ１）｝を出力する。
【００５２】
ダイオードＤ21は、カソードがスイッチＳ１とインダクタＬ１との接続点に接続され、アノードはダイオードＤ23のカソードとキャパシタＣ22との接続点に接続されている。ダイオードＤ21は、スイッチＳ１とインダクタＬ１との接続点が負極性のときにオンして、キャパシタＣ22から電流を引き込み、キャパシタＣ22を充電する。
【００５３】
ダイオードＤ22は、カソードがスイッチＳ１とインダクタＬ１との接続点に接続され、アノードはスイッチＳ22とキャパシタＣ23との接続点に接続されている。ダイオードＤ22は、スイッチＳ１とインダクタＬ１との接続点が負極性のときにオンして、キャパシタＣ23から電流を引き込み、キャパシタＣ23を充電する。
【００５４】
ダイオードＤ23は、カソードがダイオードＤ21のアノードとキャパシタＣ22との接続点に接続され、アノードが出力端子Ｔout21とキャパシタＣ21の一端との接続点に接続されている。キャパシタＣ21は、一端がダイオードＤ23のアノードと出力端子Ｔout21との接続点に接続され、他端が端子Ｔin2に接続されている。
【００５５】
キャパシタＣ22は一端がダイオードＤ21のアノードとダイオードＤ23のカソードとの接続点に接続され、他端がスイッチＳ21とスイッチＳ22との接続点に接続されている。キャパシタＣ22は、スイッチＳ21がオン、スイッチＳ１、Ｓ22がオフのときに、インダクタＬ１の両端に発生する電圧により充電される。
【００５６】
キャパシタＣ23は一端がダイオードＤ22のアノードとスイッチＳ22との接続点に接続され、他端が端子Ｔin2に接続されている。
【００５７】
スイッチＳ21は、一端がキャパシタＣ22とスイッチＳ22との接続点に接続され、他端が端子Ｔin2に接続されており、制御回路２０２からのスイッチングパルスによりスイッチングされる。スイッチＳ21は、キャパシタＣ22の充電時にオンする。スイッチＳ22は、一端がキャパシタＣ22とスイッチＳ21との接続点に接続され、他端がダイオードＤ22のアノードとキャパシタＣ23の一端との接続点に接続されている。スイッチＳ22は、キャパシタＣ22、Ｃ23の放電時にオンされる。
【００５８】
〔動作〕
次に、本実施例の電源装置２００の動作を説明する。
【００５９】
図５は本発明の第２実施例の動作説明図を示す。図５（Ａ）はスイッチＳ１、図５（Ｂ）はスイッチＳ21、図５（Ｃ）はスイッチＳ22のスイッチングの状態を示している。
【００６０】
まず、時刻ｔ11〜ｔ12で、制御回路２０２により、スイッチＳ１、Ｓ22をオンし、スイッチＳ21をオフする。
【００６１】
次に、時刻ｔ12〜ｔ13で、制御回路２０２により、スイッチＳ１、Ｓ22をオフし、スイッチＳ21をオンすることにより、スイッチＳ１とインダクタＬ１との接続点の電位が負電位、端子Ｔin2とインダクタＬ１との接続点は正電位となるようにインダクタＬ１に電圧が発生する。このとき、発生される電位が安定化された電位となっている。
【００６２】
スイッチＳ１とインダクタＬ１との接続点の電位が負電位となることにより、ダイオードＤ21、Ｄ22がオンする。ダイオードＤ21がオンすることにより、キャパシタＣ22の一端から電流が引き込まれる。また、ダイオードＤ22がオンすることにより、キャパシタＣ23の一端から電流が引き込まれる。
【００６３】
このとき、スイッチＳ21はオン状態であり、キャパシタＣ22の他端は端子Ｔin2に接続された状態であるので、端子Ｔin2から電荷が引き込まれ、キャパシタＣ22が充電される。また、キャパシタＣ23の他端は、端子Ｔin2に接続されているので、同様に、端子Ｔin2から電荷が引き込まれ、キャパシタＣ23が充電される。
【００６４】
次に、時刻ｔ13〜ｔ14で、制御回路２０２により、スイッチＳ１、Ｓ22をオンし、スイッチＳ21をオフすると、キャパシタＣ22の正電位側端子がキャパシタＣ23の負電位側端子に接続される。
【００６５】
これによって、キャパシタＣ23の負電位側端子には、その充電電圧Ｖｃが発生し、キャパシタＣ22の負電位側端子には、キャパシタＣ23の負電位側端子の電圧に充電電圧Ｖｃを重畳した電圧−（２×Ｖｃ）が発生する。これによって、ダイオードＤ23がオンし、出力端子Ｔout21から出力電圧−（２×Ｖｃ）が出力される。
【００６６】
制御回路２０２は、時刻ｔ11〜ｔ12、ｔ13〜ｔ14のようにスイッチＳ１、Ｓ22をオンし、スイッチＳ21をオフする状態と、時刻ｔ12〜ｔ13のようにスイッチＳ１、Ｓ22をオフし、スイッチＳ21をオンする状態とを繰り返す。これによって、出力端子Ｔout1から出力電圧（−Ｖ１）、出力端子Ｔout21から出力電圧−（２×Ｖｃ）を出力することができる。このとき、出力端子Ｔout1の出力電圧（−Ｖ１）は、平滑用キャパシタＣ１により平滑化され、安定化される。また、出力端子Ｔout21の出力電圧−（２×Ｖｃ）は、平滑用キャパシタＣ21により平滑化され、安定化される。
【００６７】
また、制御回路２０２には、出力端子Ｔout1、Ｔout21の出力電圧（−Ｖ１）、−（２×Ｖｃ）が供給されており、出力電圧（−Ｖ１）、−（２×Ｖｃ）が一定となるようにスイッチＳ１、Ｓ21、Ｓ22のオン期間とオフ期間とのデューティー比が制御される。
【００６８】
〔第３実施例〕
図６は本発明の第３実施例の回路構成図を示す。
【００６９】
本実施例の電源装置３００は、パルス生成回路３０１、制御回路３０２、第１の正極性電源電圧生成回路３０３、第２の正極性電源電圧生成回路３０４から構成される。
【００７０】
パルス生成回路３０１は、スイッチＳ31、ダイオードＤ31、インダクタＬ31、Ｌ32から構成される。スイッチＳ31は、一端が直流電源Ｅ１の正極性側電極が接続された端子Ｔin１に接続され、他端がダイオードＤ31のカソードに接続されおり、制御回路３０２からのスイッチングパルスに応じてスイッチングされる。ダイオードＤ31は、アノードが端子Ｔin2に接続され、カソードがスイッチＳ31の他端に接続されており、カソードとスイッチＳ31との接続点が負電位のときにオンし、正電位のときにオフする。インダクタＬ31は、例えば、コイルから構成されており、一端がスイッチＳ31とダイオードＤ31のカソードとの接続点に接続され、他端が出力端子Ｔout31とキャパシタＣ31との接続点に接続されている。インダクタＬ31は、スイッチＳ31のスイッチング期間に応じた電流を第１の正極性電源電圧生成回路３０３に供給する。インダクタＬ32は、一端がスイッチＳ31とダイオードＤ31のアノードとの接続点に接続され、他端がダイオードＤ32、Ｄ33のアノードとキャパシタＣ32の一端との接続点に接続されている。インダクタＬ32は、スイッチＳ31のスイッチング期間に応じた電流を第２の正極性電源電圧生成回路３０４に供給する。
【００７１】
第１の正極性電源電圧生成回路３０３は、キャパシタＣ31から構成される。キャパシタＣ31は、一端がインダクタＬ31の他端と出力端子Ｔout31との接続点に接続され、他端が端子Ｔin2に接続されており、インダクタＬ31の出力を平滑化して出力端子Ｔout31から出力する。
【００７２】
第２の正極性電源電圧生成回路３０４は、ダイオードＤ32、Ｄ33、Ｄ34、キャパシタＣ32、Ｃ33、Ｃ34、Ｃ35、スイッチＳ32、Ｓ33から構成されている。
【００７３】
キャパシタＣ32は、一端がインダクタＬ32とダイオードＤ32、Ｄ33のアノードとの接続点に接続され、他端が端子Ｔin2に接続されている。キャパシタＣ32は、インダクタＬ32の他端からの電流によって充電される。
【００７４】
ダイオードＤ32は、アノードがインダクタＬ32の他端とキャパシタＣ32の一端との接続点に接続され、カソードがキャパシタＣ34の一端とダイオードＤ34のアノードとの接続点に接続されており、スイッチＳ32がオン、スイッチＳ33がオフのときに、オンして、キャパシタＣ34を充電する。ダイオードＤ33は、アノードがインダクタＬ32の他端とキャパシタＣ32の一端との接続点に接続され、カソードがキャパシタＣ35の一端とスイッチＳ33との接続点に接続されており、スイッチＳ32がオン、スイッチＳ33がオフのときに、オンして、キャパシタＣ35を充電する。ダイオードＤ34は、カソードが出力端子Ｔout32とキャパシタＣ33との接続点に接続されており、スイッチＳ32がオフ、スイッチＳ33がオンのときに、オンして、キャパシタＣ34、Ｃ35により決定される充電電圧を出力端子Ｔout32より出力させる。
【００７５】
キャパシタＣ34は、一端がダイオードＤ32のカソードとダイオードＤ34のアノードとの接続点に接続され、他端がスイッチＳ32とスイッチＳ33との接続点に接続されており、スイッチＳ32がオン、スイッチＳ33がオフのときにキャパシタＣ32により充電される。キャパシタＣ35は、一端がダイオードＤ33のカソードとスイッチＳ33との接続点に接続され、他端が端子Ｔin2に接続されており、スイッチＳ32がオン、スイッチＳ33がオフのときにキャパシタＣ32により充電される。キャパシタＣ33は、一端が出力端子Ｔout32とダイオードＤ34のカソードとの接続点に接続され、他端が端子Ｔin2に接続されており、出力端子Ｔout32から出力される出力電圧を平滑化する。
【００７６】
スイッチＳ32は、一端がキャパシタＣ34の他端とスイッチＳ33の他端との接続点に接続され、他端が端子Ｔin2に接続され、制御回路３０２から供給されるスイッチングパルスによってスイッチングされる。スイッチＳ33は、制御回路３０２から供給されるスイッチングパルスによってスイッチングされる。
【００７７】
なお、ここで、制御回路３０２は、図２に示す制御回路１０２と略同様な構成とされており、スイッチＳ31は、パルス幅変調回路１１２から供給されるスイッチングパルスによりスイッチングされ、スイッチＳ32、Ｓ33は、スイッチ駆動回路１１４から供給されるスイッチングパルスによって駆動される。
【００７８】
〔動作〕
図７は本発明の第３実施例の動作説明図を示す。図７（Ａ）はスイッチＳ31、図７(Ｂ)はスイッチＳ32、図７（Ｃ）はスイッチＳ33のスイッチング状態を示す。
【００７９】
まず、時刻ｔ21〜ｔ22で、スイッチＳ31が制御回路３０２からのスイッチングパルスによってスイッチングされることにより、出力端子Ｔout31から出力電圧Ｖout31が出力されるとともに、キャパシタＣ32が充電される。
【００８０】
このとき、制御回路３０２からのスイッチングパルスによって、スイッチＳ33はオフされ、スイッチＳ32はオンされており、キャパシタＣ34、Ｃ33がキャパシタＣ32の充電電荷によって充電される。
【００８１】
次に、時刻ｔ22〜ｔ23で、制御回路３０２からのスイッチングパルスによって、スイッチＳ33をオンし、スイッチＳ32をオフすることによって、キャパシタＣ34、Ｃ35が端子Ｔin2と出力端子Ｔout32との間にダイオードＤ34を介して直列に接続される。このとき、キャパシタＣ34、Ｃ35の充電電圧をＶcとすると、出力端子Ｔout32の出力電圧Ｖout32は、略＋（２×Ｖc）となる。
【００８２】
制御回路３０２により、時刻ｔ21〜ｔ22と時刻ｔ22〜ｔ23の動作を繰り返すことにより、端子Ｔout31から出力電圧Ｖout31、出力端子Ｔout32から出力電圧Ｖout32を出力することができる。
【００８３】
〔第４実施例〕
図８は本発明の第４実施例の回路構成図を示す。同図中、図３と同一構成部分には同一符号を付し、その説明は省略する。
【００８４】
本実施例の電源装置４００は、第３実施例の第２の正極性電源電圧生成回路３０４に代えて、負極性電源電圧生成回路４０１を設けた構成とされている。
【００８５】
本実施例の負極性電源電圧生成回路４０１は、キャパシタＣ41〜Ｃ44、ダイオードＤ41〜Ｄ44、スイッチＳ41〜Ｓ44から構成される。
【００８６】
キャパシタＣ41は、一端がインダクタＬ41の他端とスイッチＳ41の一端との接続点に接続されており、スイッチＳ31、ダイオードＤ31、インダクタＬ41により構成されるスイッチング電源により生成される電圧によって充電される。キャパシタＣ42は、一端がダイオードＤ41のカソードとスイッチＳ42との接続点に接続され、他端がスイッチＳ43とダイオードＤ43のアノードとの接続点に接続されており、スイッチＳ41がオン、スイッチＳ42、Ｓ43がオフのときに、キャパシタＣ41によって充電される。キャパシタＣ43は、一端がダイオードＤ42のカソードとスイッチＳ43との接続点に接続され、他端がスイッチＳ44とダイオードＤ44のカソードとの接続点に接続されており、スイッチＳ41、Ｓ44がオン、スイッチＳ43がオフのときにキャパシタＣ41によって充電される。キャパシタＣ44は、一端がダイオードＤ44のアノードと出力端子Ｔout42との接続点に接続され、他端が端子Ｔin2に接続されており、スイッチＳ42、Ｓ43がオン、スイッチＳ44がオフのときに、キャパシタＣ42、Ｃ43により充電される。キャパシタＣ44の充電電圧が出力端子Ｔout42から出力される。
【００８７】
ダイオードＤ41は、アノードがスイッチＳ41とダイオードＤ42のアノードとの接続点に接続され、カソードがスイッチＳ42とキャパシタＣ42との接続点に接続されており、スイッチＳ41がオン、スイッチＳ42、Ｓ43がオフのときにオンして、キャパシタＣ42に充電する。
【００８８】
ダイオードＤ42は、カソードがスイッチＳ43とキャパシタＣ43の一端との接続点に接続されおり、スイッチＳ41、スイッチＳ44がオン、スイッチＳ43がオフのときに、オンして、キャパシタＣ43を充電する。ダイオードＤ43は、アノードがキャパシタＣ42の他端とスイッチＳ43との接続点に接続され、カソードが端子Ｔin2に接続されている。ダイオードＤ44は、アノードがキャパシタＣ44の一端と出力端子Ｔout42との接続点に接続されており、スイッチＳ42、Ｓ43がオン、スイッチＳ44がオフのときに、オンして、キャパシタＣ42、Ｃ43によりキャパシタＣ44を充電する。
【００８９】
スイッチＳ41は、制御回路４０２から供給されるスイッチングパルスによりスイッチングされており、インダクタＬ41の他端とキャパシタＣ41の一端との接続点とダイオードＤ41、Ｄ42のアノードとを接続又は切断する。スイッチＳ42は、制御回路４０２から供給されるスイッチングパルスによりスイッチングされており、ダイオードＤ41のカソードとキャパシタＣ42の一端との接続点と端子Ｔin2とを接続又は切断する。スイッチＳ43は、制御回路４０２から供給されるスイッチングパルスによりスイッチングされており、キャパシタＣ42の他端とダイオードＤ43のアノードとの接続点とダイオードＤ42のカソードとキャパシタＣ43の一端との接続点とを接続又は切断する。スイッチＳ44は、制御回路４０２から供給されるスイッチングパルスによりスイッチングされており、キャパシタＣ43の他端とダイオードＤ44のカソードとの接続点と端子Ｔin2とを接続又は切断する。
【００９０】
なお、ここで、制御回路４０２は、図２に示す制御回路１０２と略同様な構成とされており、スイッチＳ31は、パルス幅変調回路１１２から供給されるスイッチングパルスによりスイッチングされ、スイッチＳ41〜Ｓ44はスイッチ駆動回路１１４から供給されるスイッチングパルスによって駆動される。
【００９１】
〔動作〕
次にその動作を説明する。
【００９２】
図９は本発明の第４実施例の動作説明図を示す。図９（Ａ）はスイッチＳ41、図９（Ｂ）はスイッチＳ42、図９（Ｃ）はスイッチＳ43、図９（Ｄ）はスイッチＳ44のスイッチングの状態を示す。
【００９３】
まず、スイッチＳ31が制御回路４０２からのスイッチングパルスによってオフされることにより、出力端子Ｔout31から出力電圧Ｖout31が出力されるとともに、キャパシタＣ41が充電される。
【００９４】
キャパシタＣ41が充電された状態で、時刻ｔ31〜ｔ32で、制御回路４０２により、スイッチＳ41、Ｓ44をオン、スイッチＳ42、Ｓ43をオフすることにより、キャパシタＣ42、Ｃ43がキャパシタＣ41によって充電される。
【００９５】
次に制御回路４０２は、時刻ｔ32〜ｔ33で、スイッチＳ41、Ｓ44をオフ、スイッチＳ42、Ｓ43をオンする。スイッチＳ41、Ｓ44をオフ、スイッチＳ42、Ｓ43をオンすることにより、キャパシタＣ42、Ｃ43が端子Ｔin2と出力端子Ｔout42との間にダイオードＤ44を介して直列に接続される。このとき、キャパシタＣ42、Ｃ43の充電電圧を−Ｖcとすると、キャパシタＣ44の充電電圧は、略−（２×Ｖc）となる。これによって、出力端子Ｔout42からは、出力電圧Ｖout42＝−（２×Ｖｃ）が出力される。
【００９６】
制御回路４０２により上記動作を繰り返すことにより、端子Ｔout31から出力電圧Ｖout31、出力端子Ｔout42から出力電圧Ｖout42＝−（２×Ｖｃ）が出力される。
【００９７】
〔第５実施例〕
図１０は本発明の第５実施例の回路構成図を示す。同図中、図１、図３と同一構成部分には同一符号を付し、その説明は省略する。
【００９８】
本実施例の電源装置５００は、パルス生成回路５０１、第１の正極性電源電圧生成回路５０３、第２の正極性電源電圧生成回路５０４の構成が図３とは相違する。本実施例のパルス生成回路５０１は、インダクタＬ51、スイッチＳ51から構成されている。インダクタＬ51は、一端が端子Ｔin1に接続され、他端がスイッチＳ51の一端に接続されている。また、スイッチＳ51は、一端がインダクタＬ51の他端に接続され、他端が端子Ｔin2に接続されている。制御回路５０２からのスイッチングパルスによりスイッチＳ51をスイッチングすることにより、インダクタＬ51とスイッチＳ51との接続点にパルスが発生する。インダクタＬ51とスイッチＳ51との接続点は、第１の正極性電源電圧生成回路５０３、第２の正極性電源電圧生成回路５０４に接続されている。
【００９９】
第１の正極性電源電圧生成回路５０３は、ダイオードＤ51とキャパシタＣ51から構成されている。ダイオードＤ51は、アノードがインダクタＬ51とスイッチＳ51との接続点に接続され、カソードが出力端子Ｔout51とキャパシタＣ51の一端との接続点に接続される。  キャパシタＣ51は、一端がダイオードＤ51と出力端子Ｔout51との接続点に接続され、他端が端子Ｔin2に接続されている。ダイオードＤ51は、インダクタＬ51とスイッチＳ51との接続点の電位が正極性のときにオンしてキャパシタＣ51を充電する。
【０１００】
キャパシタＣ51の充電電圧が出力端子Ｔout51から出力電圧Ｖout51として出力される。このとき、出力電圧Ｖout51は、キャパシタＣ51の充電電圧Ｖｃとなる。
【０１０１】
第２の正極性電源電圧生成回路５０４は、図３に示す第２の正極性電源電圧生成回路３０４のインダクタＬ32及びキャパシタＣ32を削除した構成とされており、ダイオードＤ32、Ｄ33のアノードがインダクタＬ51の他端とスイッチＳ51の一端との接続点に接続される構成とされている。第２の正極性電源電圧生成回路５０４は、図３に示す第２の正極性電源電圧生成回路３０４と同様な動作を実行し、出力端子Ｔout52よりインダクタＬ51とスイッチＳ51との接続点の電位の２倍の電圧を出力電圧Ｖout52として出力することが可能となる。
【０１０２】
〔動作〕
図１１は本発明の第５実施例の動作説明図を示す。図１１（Ａ）はスイッチＳ51、図１１(Ｂ)はスイッチＳ32、図１１（Ｃ）はスイッチＳ33のスイッチング状態を示す。
【０１０３】
まず、時刻ｔ51〜ｔ52で、スイッチＳ51が制御回路５０２からのスイッチングパルスによってオフされたときに、スイッチＳ32をオンし、Ｓ33をオフすることにより、キャパシタＣ34、Ｃ35が充電される。また、このとき、キャパシタＣ51も充電される。
【０１０４】
次に、時刻ｔ52〜ｔ53で、制御回路５０２からのスイッチングパルスによって、スイッチＳ51をオンしたときに、スイッチＳ32をオフし、スイッチＳ33をオンすることによって、キャパシタＣ34、Ｃ35が端子Ｔin2と出力端子Ｔout52とがダイオードＤ34を介して直列に接続される。このとき、キャパシタＣ34、Ｃ35、Ｃ51の充電電圧をＶcとすると、出力端子Ｔout52の出力電圧Ｖout52は、略＋（２×Ｖc）となり、出力端子Ｔout51の出力電圧Ｖout51は、略＋Ｖcとなる。
【０１０５】
制御回路５０２により、時刻ｔ51〜ｔ52と時刻ｔ52〜ｔ53の動作を繰り返すことにより、端子Ｔout51から出力電圧Ｖout51、出力端子Ｔout52から出力電圧Ｖout52を出力することができる。
【０１０６】
〔第６実施例〕
図１２は本発明の第６実施例の回路構成図を示す。同図中、図１０と同一構成部分には同一符号を付し、その説明は省略する。
【０１０７】
本実施例の電源装置６００は、第５実施例において、第２の正極性電源電圧生成回路５０４に代えて、負極性電源電圧生成回路６０４を設けた構成とされている。
【０１０８】
本実施例の負極性電源電圧生成回路６０４は、ダイオードＤ61、Ｄ62、Ｄ63、Ｄ64、キャパシタＣ61、Ｃ62、Ｃ63、スイッチＳ61、Ｓ62、Ｓ63から構成されている。
【０１０９】
ダイオードＤ61は、アノードがインダクタＬ51とスイッチＳ51との接続点に接続され、カソードがキャパシタＣ61とスイッチＳ62との接続点に接続されており、スイッチＳ51、Ｓ62がオフ、Ｓ61がオンのときにオンして、キャパシタＣ61を充電する。ダイオードＤ62は、アノードがインダクタＬ51とスイッチＳ51との接続点に接続され、カソードがキャパシタＣ62とスイッチＳ63との接続点に接続されており、スイッチＳ51、Ｓ62、Ｓ63がオフのときに、キャパシタＣ62を充電する。
【０１１０】
ダイオードＤ63は、カソードがキャパシタＣ61とスイッチＳ61との接続点に接続され、アノードがキャパシタＣ63と出力端子Ｔout62との接続点に接続されており、キャパシタＣ61、Ｃ62の放電時にオンする。ダイオードＤ64は、アノードがスイッチＳ62とキャパシタＣ62との接続点に接続され、カソードが端子Ｔin2に接続されており、スイッチＳ62、Ｓ63がオフのときにオンしてキャパシタＣ62を充電可能とする。
【０１１１】
スイッチＳ61は、一端がキャパシタＣ61とダイオードＤ63のカソードとの接続点に接続され、他端が端子Ｔin2に接続されており、キャパシタＣ61の充電時にオンしてキャパシタＣ61の一端に電圧を印加する。スイッチＳ62は、一端がキャパシタＣ61とダイオードＤ61のカソードとの接続点に接続され、他端がキャパシタＣ62とダイオードＤ64のアノードとの接続点に接続されており、キャパシタＣ61、Ｃ62の放電時にオンして、キャパシタＣ61とキャパシタＣ62とを直列接続する。スイッチＳ63は、一端がキャパシタＣ62とダイオードＤ62のカソードとの接続点に接続され、他端が端子Ｔin2に接続されており、キャパシタＣ61、Ｃ62の放電時にオンして、キャパシタＣ61とキャパシタＣ62から構成される直列回路に電圧を印加する。
【０１１２】
〔動作〕
次にその動作を説明する。
【０１１３】
図１３は本発明の第６実施例の動作説明図を示す。図１３（Ａ）はスイッチＳ51、図１３（Ｂ）はスイッチＳ61、図１３（Ｃ）はスイッチＳ62、図１３（Ｄ）はスイッチＳ63のスイッチングの状態を示す。
【０１１４】
まず、時刻ｔ61〜ｔ62で、制御回路６０２によりスイッチＳ51、Ｓ62、Ｓ63がオフし、スイッチＳ61がオンすると、キャパシタＣ61、Ｃ62がインダクタＬ51とスイッチＳ51との接続点の電位により充電される。
【０１１５】
次に、時刻ｔ62〜ｔ63で、制御回路６０２によりスイッチＳ51、Ｓ62、Ｓ63をオンし、スイッチＳ61をオフすると、キャパシタＣ61とキャパシタＣ62とが直列に接続され、ダイオードＤ63を介してキャパシタＣ63に接続され、キャパシタＣ63を充電する。キャパシタＣ63の充電電圧が出力端子Ｔout62より出力電圧Ｖout62として出力される。このとき、出力電圧Ｖout62は、キャパシタＣ61、及び、キャパシタＣ62の各々の充電電圧をＶcとすると、
Ｖout62＝−（２×Ｖc）
となる。
【０１１６】
本実施例によれば、出力端子Ｔout62より出力電圧Ｖout62として負極性の（−２×Ｖｃ）の電圧を出力することができる。
【０１１７】
〔第７実施例〕
図１４は本発明の第７実施例の回路構成図を示す。同図中、図１と同一構成部分には同一符号を付し、その説明は省略する。
【０１１８】
本実施例の電源装置７００は、正極性電源電圧生成回路７０１の構成が第１実施例とは相違する。
【０１１９】
本実施例の正極性電源電圧生成回路７０１は、ダイオードＤ71、Ｄ72、Ｄ73、Ｄ74、Ｄ75、Ｄ76、Ｄ77、Ｄ78、キャパシタＣ71、Ｃ72、Ｃ73、Ｃ74、Ｃ75、Ｃ76、スイッチＳ71、Ｓ72、Ｓ73、Ｓ74から構成されている。
【０１２０】
ダイオードＤ71は、カソードがスイッチＳ71の他端に接続され、アノードがスイッチＳ74とキャパシタＣ74との接続点に接続され、キャパシタＣ74の充電時にオンして、キャパシタＣ74をスイッチＳ1とインダクタＬ1との接続点の電位に充電可能とする。ダイオードＤ72は、カソードがスイッチＳ71の他端に接続され、アノードがスイッチＳ73とキャパシタＣ73との接続点に接続され、キャパシタＣ73の充電時にオンして、キャパシタＣ73をスイッチＳ1とインダクタＬ1との接続点の電位に充電可能とする。ダイオードＤ73は、カソードがスイッチＳ71に接続され、アノードがキャパシタＣ71、Ｃ72、スイッチＳ72との接続点に接続され、キャパシタＣ71、Ｃ72の充電時にオンして、キャパシタＣ71、Ｃ72をスイッチＳ1とインダクタＬ1との接続点の電位に充電可能とする。
【０１２１】
ダイオードＤ74は、アノードが端子Ｔin2に接続され、カソードがキャパシタＣ71、Ｃ72、スイッチＳ73、ダイオードＤ75のアノードとの接続点に接続され、アノードが端子Ｔin2に接続されており、キャパシタＣ71、Ｃ72の充電時にオンし、キャパシタＣ71、Ｃ72をスイッチＳ1とインダクタＬ1との接続点の電位に充電可能とする。ダイオードＤ75は、アノードがキャパシタＣ71、Ｃ72、スイッチＳ73、ダイオードＤ74のカソードとの接続点に接続され、カソードがキャパシタＣ76と出力端子Ｔout72との接続点に接続されており、キャパシタＣ76を充電するときにオンして、キャパシタＣ71、Ｃ72の充電電圧によりキャパシタＣ76を充電する。ダイオードＤ76は、カソードがキャパシタＣ73とスイッチＳ74との接続点に接続され、アノードが端子Ｔin2に接続されており、キャパシタＣ73の充電時にオンして、キャパシタＣ73をスイッチＳ1とインダクタＬ1との接続点の電位によって、充電可能とする。
【０１２２】
ダイオードＤ77は、アノードがキャパシタＣ74とダイオードＤ78との接続点に接続され、カソードがキャパシタＣ75と出力端子Ｔout73との接続点に接続されており、キャパシタＣ75の充電時にオンし、キャパシタＣ71、Ｃ72、Ｃ73、Ｃ74の充電電圧により充電可能とする。ダイオードＤ78は、アノードが端子Ｔin2に接続され、キャパシタＣ74の充電時にオンし、キャパシタＣ74をスイッチＳ1とインダクタＬ1との接続点の電位により充電可能とする。
【０１２３】
スイッチＳ71は、一端がスイッチＳ１とインダクタＬ１との接続点に接続され、他端がダイオードＤ71、Ｄ72、Ｄ73のカソードの接続点に接続され、制御回路７０２から供給されるスイッチングパルスによりスイッチングされ、キャパシタＣ71、Ｃ72、Ｃ73、Ｃ74の充電時にオンされ、スイッチＳ１とインダクタＬ１との接続点の電位をキャパシタＣ71、Ｃ72、及び、キャパシタＣ73、並びに、キャパシタＣ74の一端に印加する。スイッチＳ72は、一端がダイオードＤ73のカソードとキャパシタＣ71及びＣ72との接続点に接続され、他端が端子Ｔin2に接続されており、制御回路７０２からのスイッチングパルスによりスイッチングされ、キャパシタＣ71、Ｃ72、Ｃ73、Ｃ74の放電時、すなわち、キャパシタＣ75の充電時にオンし、キャパシタＣ71、Ｃ72、Ｃ73、Ｃ74の充電電圧を合成した電圧により充電可能とする。
【０１２４】
スイッチＳ73は、制御回路７０２からのスイッチングパルスによりスイッチングされ、キャパシタＣ73の充電時にオフして、キャパシタＣ71、Ｃ72との接続を切断し、スイッチＳ１とインダクタＬ１との接続点の電位によりキャパシタＣ73を充電可能とする。スイッチＳ74は、一端がキャパシタＣ73とダイオードＤ76のカソードとの接続点に接続され、他端がダイオードＤ71のアノードとキャパシタＣ74との接続点に接続されており、制御回路７０２からのスイッチングパルスによりスイッチングされ、キャパシタＣ74の充電時にオフし、キャパシタＣ73との接続を切断し、スイッチＳ１とインダクタＬ１との接続点の電位によりキャパシタＣ74を充電可能とする。
【０１２５】
〔動作〕
次にその動作を説明する。
【０１２６】
図１５は本発明の第７実施例の動作説明図を示す。図１５（Ａ）はスイッチＳ１、図１５（Ｂ）はスイッチＳ71、図１５（Ｃ）はスイッチＳ72、図１５（Ｄ）はスイッチＳ73、図１５（Ｅ）はスイッチＳ74のスイッチングの状態を示している。
【０１２７】
まず、時刻ｔ71〜72で、制御回路７０２により、スイッチＳ１、Ｓ72、Ｓ73、Ｓ74をオフし、スイッチＳ71をオンすることにより、キャパシタＣ71、Ｃ72、及び、キャパシタＣ73、並びに、キャパシタＣ74が各々インダクタＬ１に発生する電圧によって、充電される。
【０１２８】
次に、時刻ｔ72〜ｔ73で、制御回路７０２により、スイッチＳ1、Ｓ72、Ｓ73、Ｓ74をオンし、スイッチＳ71をオフすることにより、キャパシタＣ71、Ｃ72とキャパシタＣ73とキャパシタＣ74とが直列に接続され、これらの直列回路により発生する充電電圧によりキャパシタＣ75が充電される。キャパシタＣ75に充電された充電電圧は、出力端子Ｔout73より出力される。このとき、キャパシタＣ71、Ｃ72、及び、キャパシタＣ73、並びに、キャパシタＣ74の各々の充電電圧をＶcとすると、出力端子Ｔout73から出力される出力電圧Ｖout73は、
Ｖout73＝３×Ｖc
となる。
【０１２９】
また、このとき、同時に、キャパシタＣ76がキャパシタＣ71、Ｃ72により充電される。キャパシタＣ76の充電電圧は、出力端子Ｔout72から出力される。出力端子Ｔout72から出力される出力電圧Ｖout72は、
Ｖout72＝Ｖc
となる。
【０１３０】
本実施例の正極性電源電圧生成回路７０１によれば、インダクタＬ１に発生する電圧の略３倍の電圧を出力することが可能となる。
【０１３１】
〔第８実施例〕
図１６は本発明の第８実施例の回路構成図を示す。同図中、図１と同一構成部分には同一符号を付し、その説明は省略する。
【０１３２】
本実施例の電源装置８００は、第１実施例の正極性電源電圧生成回路１０４に代えて負極性電源電圧生成回路８０４を設けた構成とされている。
【０１３３】
本実施例の負極性電源電圧生成回路８０４は、ダイオードＤ81、Ｄ82、Ｄ83、Ｄ84、キャパシタＣ81、Ｃ82、Ｃ83、Ｃ84、スイッチＳ81、Ｓ82、Ｓ83、Ｓ84、Ｓ85から構成されている。
【０１３４】
ダイオードＤ81は、カソードがスイッチＳ81とダイオードＤ82、Ｄ83のカソードとの接続点に接続され、アノードがスイッチＳ83とキャパシタＣ83との接続点に接続されており、キャパシタＣ83の充電時にオンして、キャパシタＣ83にインダクタＬ１に発生した電圧を印加して、キャパシタＣ83を充電可能とする。ダイオードＤ82は、カソードがスイッチＳ81とダイオードＤ81、Ｄ83のカソードとの接続点に接続され、アノードがスイッチＳ82とキャパシタＣ82との接続点に接続されており、キャパシタＣ82の充電時にオンして、キャパシタＣ82にインダクタＬ１に発生した電圧を印加して、キャパシタＣ82を充電可能とする。ダイオードＤ83は、カソードがスイッチＳ81とダイオードＤ81、Ｄ82のカソードとの接続点に接続されており、アノードがダイオードＤ84のカソードとキャパシタＣ81との接続点に接続されており、キャパシタＣ81の充電時にオンして、キャパシタＣ81にインダクタＬ１で発生した電圧を印加して、キャパシタＣ81を充電可能とする。ダイオードＤ84は、アノードが出力端子Ｔout81とキャパシタＣ84との接続点に接続されおり、キャパシタＣ84の充電時にオンして、キャパシタＣ81、Ｃ82、Ｃ83との充電電圧を合成した電圧によって、キャパシタＣ84を充電可能とする。
【０１３５】
キャパシタＣ81は、インダクタＬ１に発生した電圧により充電電圧Ｖcに充電可能とされている。キャパシタＣ82は、インダクタＬ１に発生した電圧により充電電圧Ｖcに充電可能とされている。キャパシタＣ83は、インダクタＬ1に発生した電圧により充電電圧Ｖcに充電可能とされている。キャパシタＣ84は、キャパシタＣ81、Ｃ82、Ｃ83の充電電圧を合成した充電電圧により充電される。
【０１３６】
スイッチＳ81は、一端がスイッチＳ１とインダクタＬ１との接続点に接続され、制御回路８０２から供給されるスイッチングパルスによりスイッチングされ、キャパシタＣ81、Ｃ82、Ｃ83の充電時にオンして、インダクタＬ１に発生した電圧をキャパシタＣ81、Ｃ82、Ｃ83に供給する。スイッチＳ82は、制御回路８０２から供給されるスイッチングパルスによりスイッチングされ、キャパシタＣ81、Ｃ82、Ｃ83の放電時にオンし、キャパシタＣ81とキャパシタＣ82とを接続する。スイッチＳ83は、制御回路８０２から供給されるスイッチングパルスによりスイッチングされており、キャパシタＣ81、Ｃ82、Ｃ83の放電時にオンして、キャパシタＣ82とキャパシタＣ83とを接続する。
【０１３７】
〔動作〕
次にその動作を説明する。
【０１３８】
図１７は本発明の第８実施例の動作説明図を示す。図１７（Ａ）はスイッチＳ１、図１７（Ｂ）はスイッチＳ81、図１７（Ｃ）はスイッチＳ82、図１７（Ｄ）はスイッチＳ83、図１７（Ｅ）はスイッチＳ84、図１７（Ｆ）はスイッチＳ85のスイッチングの状態を示している。
【０１３９】
時刻ｔ81〜ｔ82で、制御回路８０２により、まず、スイッチＳ１、Ｓ82、Ｓ83をオフし、スイッチＳ81、Ｓ84、Ｓ85をオンすると、インダクタＬ１に発生した電圧がキャパシタＣ81、Ｃ82、Ｃ83の各々に印加され、キャパシタＣ81、Ｃ82、Ｃ83の各々が充電電圧Ｖcに充電される。
【０１４０】
次に、時刻ｔ82〜ｔ83で、制御回路８０２により、スイッチＳ１、Ｓ82、Ｓ83をオンし、スイッチＳ81、Ｓ84、Ｓ85をオフすると、キャパシタＣ81、Ｃ82、Ｃ83が直列に接続され、キャパシタＣ81、Ｃ82、Ｃ83の各々の充電電圧Ｖcを合成した電圧−（３×Ｖc）によりキャパシタＣ84が充電される。キャパシタＣ84に充電された電圧−（３×Ｖｃ）は出力端子Ｔout81より出力電圧Ｖout81として出力される。
【０１４１】
本実施例の負極性電源電圧生成回路８０４によれば、出力電圧Ｖout81として−（３×Ｖｃ）の電圧を出力端子Ｔout81より出力することができる。
【０１４２】
〔第９実施例〕
図１８は本発明の第９実施例の回路構成図を示す。同図中、図１０と同一構成部分には同一符号を付し、その説明は省略する。
【０１４３】
本実施例の電源装置９００は、第２の正極性電源電圧生成回路９０４の構成が第５実施例の正極性電源電圧生成回路５０４とは相違する。
【０１４４】
本実施例の第２の正極性電源電圧生成回路９０４は、ダイオードＤ91、Ｄ92、Ｄ93、Ｄ94、Ｄ95から構成される。ダイオードＤ91は、アノードがインダクタＬ51とスイッチＳ51との接続点に接続され、カソードがキャパシタＣ91とスイッチＳ91との接続点に接続されており、キャパシタＣ91の充電時にオンして、キャパシタＣ91をインダクタＬ51に発生する電圧により充電可能とする。ダイオードＤ92は、アノードがインダクタＬ51とスイッチＳ51との接続点に接続され、カソードがキャパシタＣ92とスイッチＳ93との接続点に接続され、キャパシタＣ92の充電時にオンして、キャパシタＣ92をインダクタＬ51に発生する電圧により充電可能とする。ダイオードＤ93は、アノードがインダクタＬ51とスイッチＳ51との接続点に接続され、カソードがキャパシタＣ93とダイオードＤ94のアノードとの接続点に接続され、キャパシタＣ93の充電時にオンして、キャパシタＣ93をインダクタＬ51により発生する電圧により充電可能とする。ダイオードＤ94は、カソードが出力端子Ｔout92とキャパシタＣ94との接続点に接続され、キャパシタＣ94の充電時にオンし、キャパシタＣ94をキャパシタＣ91、Ｃ92、Ｃ93により充電可能とする。
【０１４５】
キャパシタＣ91は、一端が端子Ｔin2に接続され、インダクタＬ51に発生する電圧によって充電可能とされている。キャパシタＣ92は、一端がスイッチＳ91とスイッチＳ92との接続点に接続され、インダクタＬ51に発生する電圧によって、充電可能とされている。キャパシタＣ93は、一端がスイッチＳ93、Ｓ94、ダイオードＤ95のアノードとの接続点に接続され、インダクタＬ51に発生する電圧によって、充電可能とされている。キャパシタＣ94は、一端が端子Ｔin2に接続され、他端がダイオードＤ94のカソードと出力端子Ｔout92との接続点に接続されており、キャパシタＣ91、Ｃ92、Ｃ93の充電電圧によって、充電可能とされている。キャパシタＣ95は、一端が端子Ｔin2に接続され、他端がダイオードＤ95のカソードと出力端子Ｔout91との接続点に接続されており、キャパシタＣ91、Ｃ92の充電電圧によって、充電可能とされている。
【０１４６】
スイッチＳ91は、キャパシタＣ91の充電時にはオフし、キャパシタＣ91とキャパシタＣ92とを切断し、キャパシタＣ91の放電時にはオンして、キャパシタＣ91をキャパシタＣ92と接続する。スイッチＳ92は、他端が端子Ｔin2に接続されており、キャパシタＣ92の充電時にオンし、キャパシタＣ92を端子Ｔin2に接続し、キャパシタＣ92をインダクタＬ51に発生する電圧によって充電可能とする。スイッチＳ93は、キャパシタＣ93の充電時にオフし、キャパシタＣ92とキャパシタＣ93とを切断し、キャパシタＣ93の放電時にオンして、キャパシタＣ92とキャパシタＣ93とを接続する。スイッチＳ94は、一端がスイッチＳ93とキャパシタＣ93とダイオードＤ95のカソードとの接続点に接続され、他端が端子Ｔin2に接続されており、キャパシタＣ93の充電時にオンして、キャパシタＣ93を端子Ｔin2に接続することにより、インダクタＬ51に発生する電圧によりキャパシタＣ93を充電可能とする。
【０１４７】
〔動作〕
次にその動作を説明する。
【０１４８】
図１９は本発明の第９実施例の動作説明図を示す。図１９（Ａ）はスイッチＳ51、図１９（Ｂ）はスイッチＳ91、図１９（Ｃ）はスイッチＳ92、図１９（Ｄ）はスイッチＳ93、図１９（Ｅ）はスイッチＳ94のスイッチングの状態を示している。
【０１４９】
時刻ｔ91〜ｔ92で、制御回路９０２により、まず、スイッチＳ51、Ｓ91、Ｓ93をオフし、スイッチＳ92、Ｓ94をオンすることにより、キャパシタＣ91、Ｃ92、Ｃ93の各々にインダクタＬ51で発生した電圧が印加され、キャパシタＣ91、Ｃ92、Ｃ93の各々が充電される。
【０１５０】
次に、時刻ｔ92〜ｔ93で、制御回路９０２により、スイッチＳ51、Ｓ91、Ｓ93をオンし、スイッチＳ92、Ｓ94をオフすることにより、キャパシタＣ91、Ｃ92、Ｃ93が直列に接続され、キャパシタＣ94がキャパシタＣ91、Ｃ92、Ｃ93の各々充電電圧Ｖcを加算した電圧（３×Ｖc）によって、充電される。キャパシタＣ94に充電された電圧は、出力端子Ｔout92より出力電圧Ｖout92として出力される。
【０１５１】
また、このとき、キャパシタＣ95には、キャパシタＣ91、Ｃ92の各々の充電電圧Ｖｃを加算した電圧（２×Ｖｃ）によって、充電される。キャパシタＣ95に充電された電圧は、出力端子Ｔout91より出力電圧Ｖout91として出力される。
【０１５２】
以上、本実施例によれば、出力端子Ｔout51より出力電圧Ｖout51＝Ｖc、出力端子Ｔout91より出力電圧Ｖout91＝＋（２×Ｖc）、出力端子Ｔout92より出力電圧Ｖout92＝＋（３×Ｖc）を出力することができる。
【０１５３】
〔第１０実施例〕
図２０は本発明の第１０実施例の回路構成図を示す。同図中、図１０と同一構成部分には同一符号を付し、その説明は省略する。
【０１５４】
本実施例の電源装置１０００は、第２の正極性電源電圧生成回路５０４に代えて負極性電源電圧生成回路１００４を設けた構成とされている。
【０１５５】
本実施例の負極性電源電圧生成回路１００４は、ダイオードＤ101、Ｄ102、Ｄ103、Ｄ104、Ｄ105、キャパシタＣ101、Ｃ102、Ｃ103、Ｃ104、Ｃ105、スイッチＳ101、Ｓ102、Ｓ103、Ｓ104、Ｓ105から構成されている。
【０１５６】
ダイオードＤ101は、アノードがインダクタＬ51とスイッチＳ51との接続点に接続され、カソードがキャパシタＣ101とスイッチＳ101との接続点に接続されており、キャパシタＣ101の充電時にオンして、インダクタＬ51に発生する電圧によりキャパシタＣ101を充電可能とする。ダイオードＤ102は、アノードがインダクタＬ51とスイッチＳ51との接続点に接続され、カソードがキャパシタＣ102とスイッチＳ102との接続点に接続されており、キャパシタＣ102の充電時にオンして、インダクタＬ51に発生する電圧によりキャパシタＣ102を充電可能とする。ダイオードＤ103は、アノードがインダクタＬ51とスイッチＳ51との接続点に接続され、カソードがキャパシタＣ103とスイッチＳ104との接続点に接続されており、キャパシタＣ103の充電時にオンして、インダクタＬ51に発生する電圧によりキャパシタＣ103を充電可能とする。
【０１５７】
ダイオードＤ104は、カソードがキャパシタＣ103とスイッチＳ106との接続点に接続され、アノードがキャパシタＣ104と出力端子Ｔout102との接続点に接続されており、キャパシタＣ104の充電時にオンして、キャパシタＣ101、Ｃ102、Ｃ103の充電電圧によって、キャパシタＣ104を充電可能とする。ダイオードＤ105は、カソードがキャパシタＣ102とスイッチＳ104とスイッチＳ105との接続点に接続され、アノードがキャパシタＣ105と出力端子Ｔout101との接続点に接続されており、キャパシタＣ105の充電時にオンし、キャパシタＣ101、Ｃ102の充電電圧によりキャパシタＣ105を充電可能とする。
【０１５８】
キャパシタＣ101は、一端がダイオードＤ101のカソードとスイッチＳ101との接続点に接続されており、他端がスイッチＳ102とスイッチＳ103との接続点に接続されており、インダクタＬ51に発生する電圧によって、充電可能とされている。キャパシタＣ102は、インダクタＬ51に発生する電圧によって、充電可能とされている。キャパシタＣ103は、インダクタＬ51に発生する電圧によって、充電可能とされている。
【０１５９】
キャパシタＣ104は、一端がダイオードＤ104のアノードと出力端子Ｔout102との接続点に接続され、他端が端子Ｔin2に接続されており、キャパシタＣ101、Ｃ102、Ｃ103の充電電圧Ｖcを減算した電圧−（３×Ｖc）によって、充電可能とされている。キャパシタＣ105は、一端がスイッチＳ105と端子Ｔin2との接続点に接続され、他端がダイオードＤ105のアノードと出力端子Ｔout101との接続点に接続されており、キャパシタＣ101、Ｃ102の充電電圧Ｖcを減算した電圧−（２×Ｖc）によって、充電可能とされている。
【０１６０】
スイッチＳ101は、他端が端子Ｔin2に接続されており、制御回路１００２から供給されるスイッチングパルスによりスイッチングされ、キャパシタＣ101の充電時にオフされ、キャパシタＣ101の放電時にオンされる。スイッチＳ102は、一端がキャパシタＣ101とスイッチＳ103との接続点に接続され、制御回路１００２から供給されるスイッチングパルスによりスイッチングされ、キャパシタＣ102の充電時にオフされ、キャパシタＣ102の放電時にオンされる。
【０１６１】
スイッチＳ103は、他端が端子Ｔin2に接続されており、制御回路１００２から供給されるスイッチングパルスによりキャパシタＣ101の充電時にオンされ、キャパシタＣ101の放電時にオフされる。スイッチＳ104は、制御回路１００２から供給されるスイッチングパルスによりスイッチングされ、キャパシタＣ103の充電時にはオフされ、キャパシタＣ103の放電時にはオンされる。スイッチＳ105は、他端がキャパシタＣ105と端子Ｔin2との接続点に接続されており、制御回路１００２から供給されるスイッチングパルスによりスイッチングされて、キャパシタＣ102の充電時にオンされ、キャパシタＣ102の放電時にオフされる。スイッチＳ106は、制御回路１００２から供給されるスイッチングパルスによりスイッチングされ、キャパシタＣ103の充電時にオンされ、キャパシタＣ103の放電時にオフされる。
【０１６２】
〔動作〕
次にその動作を説明する。
【０１６３】
図２１は本発明の第１０実施例の動作説明図を示す。図２１（Ａ）はスイッチＳ51、図２１（Ｂ）はスイッチＳ101、図２１（Ｃ）はスイッチＳ102、図２１（Ｄ）はスイッチＳ103、図２１（Ｅ）はスイッチＳ104、図２１（Ｆ）はスイッチＳ105、図２１（Ｇ）はスイッチＳ106のスイッチングの状態を示している。
【０１６４】
時刻ｔ101〜ｔ102で、制御回路１００２により、まず、スイッチＳ51、Ｓ101、Ｓ102、Ｓ104をオフし、スイッチＳ103、Ｓ105、Ｓ106をオンすることにより、キャパシタＣ101、Ｃ102、Ｃ103の各々にインダクタＬ51で発生する電圧が印加され、キャパシタＣ101、Ｃ102、Ｃ103の各々が充電電圧Ｖcに充電される。
【０１６５】
次に、時刻ｔ102〜ｔ103で、制御回路１００２により、スイッチＳ51、Ｓ101、Ｓ102、Ｓ104をオンし、スイッチＳ103、Ｓ105、Ｓ106をオフすることにより、キャパシタＣ101、Ｃ102、Ｃ103が直列に接続され、キャパシタＣ101、Ｃ102、Ｃ103の充電電圧Ｖcを減算した電圧−（３×Ｖc）がキャパシタＣ104に印加され、キャパシタＣ104が充電される。キャパシタＣ104に充電された電圧−（３×Ｖc）は、出力端子Ｔout102から出力電圧Ｖout102として出力される。また、キャパシタＣ105には、キャパシタＣ101、Ｃ102の充電電圧Ｖcを減算した電圧−（２×Ｖc）が印加され、キャパシタＣ105に充電される。キャパシタＣ105に充電された電圧−（２×Ｖc）は出力端子Ｔout101から出力電圧Ｖout101として出力される。
【０１６６】
〔第１１実施例〕
図２２は本発明の第１１実施例の回路構成図を示す。同図中、図１０と同一構成部分には同一符号を付し、その説明は省略する。
【０１６７】
本実施例の電源装置１１００は、第２の正極性電源電圧生成回路１１０４の構成が第５実施例の正極性電源電圧生成回路５０４とは相違する。
【０１６８】
本実施例の第２の正極性電源電圧生成回路１１０４は、ダイオードＤ201、Ｄ202、Ｄ203、キャパシタＣ201、Ｃ202、スイッチＳ201から構成されている。
【０１６９】
ダイオードＤ201は、アノードがインダクタＬ51とスイッチＳ51との接続点に接続され、カソードがキャパシタＣ201とスイッチＳ201との接続点に接続されており、キャパシタＣ201、Ｃ202の充電時にオンして、インダクタＬ51に発生する電圧によりキャパシタＣ201、Ｃ202を充電可能とする。ダイオードＤ202は、アノードがキャパシタＣ201とダイオードＤ203のカソードとの接続点に接続され、カソードがキャパシタＣ202とスイッチＳ201と出力端子Ｔout201との接続点に接続されており、キャパシタＣ201、Ｃ202の充電時にオンして、インダクタＬ51に発生する電圧によりキャパシタＣ201、Ｃ202を充電可能とする。
【０１７０】
キャパシタＣ201は、インダクタＬ51に発生する電圧Ｖ51の｛（１／２）×Ｖ51｝に充電可能とされている。キャパシタＣ202は、インダクタＬ51に発生する電圧Ｖ51の｛（１／２）×Ｖ51｝に充電可能とされている。
【０１７１】
スイッチＳ201は、他端がダイオードＤ202のカソードとキャパシタＣ202と出力端子Ｔout201との接続点に接続されており、制御回路１１０２から供給されるスイッチングパルスによりスイッチングされ、キャパシタＣ201、Ｃ202の充電時にオフされ、キャパシタＣ201、Ｃ202の放電時にオンされる。
【０１７２】
〔動作〕
次にその動作を説明する。
【０１７３】
図２３は本発明の第１１実施例の動作説明図を示す。図２３（Ａ）はスイッチＳ51、図２３（Ｂ）はスイッチＳ201のスイッチング状態を示す。
【０１７４】
時刻ｔ111〜ｔ112で、制御回路１１０２により、まず、スイッチＳ51、Ｓ201をオフすることにより、キャパシタＣ201、Ｃ202の各々にインダクタＬ51で発生する電圧Ｖ51が分割された電圧｛（１／２）×Ｖ51｝が印加され、キャパシタＣ201、Ｃ202の各々が充電電圧｛（１／２）×Ｖ51｝に充電される。
【０１７５】
次に、時刻ｔ112〜ｔ113で、制御回路１１０２により、スイッチＳ51、Ｓ201をオンすることにより、キャパシタＣ201、Ｃ202が出力端子Ｔout201に並列に接続され、出力端子Ｔout102から出力電圧Ｖout102としてキャパシタＣ201、Ｃ202の充電電圧｛（１／２）×Ｖ51｝が出力される。
【０１７６】
本実施例によれば、出力端子Ｔout102から出力電圧Ｖout102としてキャパシタＣ201、Ｃ202の充電電圧｛（１／２）×Ｖ51｝を出力することが可能となる。
【０１７７】
〔第１２実施例〕
図２４は本発明の第１２実施例の回路構成図を示す。同図中、図１０と同一構成部分には同一符号を付し、その説明は省略する。
【０１７８】
本実施例の電源装置１２００は、第２の正極性電源電圧生成回路５０４に代えて負極性電源電圧生成回路１２０４を設けた構成とされている。
【０１７９】
本実施例の負極性電源電圧生成回路１２０４は、ダイオードＤ301、Ｄ302、Ｄ303、Ｄ304、Ｄ305、キャパシタＣ301、Ｃ302、Ｃ303、スイッチＳ301、Ｓ302から構成されている。
【０１８０】
ダイオードＤ301は、アノードがインダクタＬ51とスイッチＳ51との接続点に接続され、カソードがキャパシタＣ301とスイッチＳ301との接続点に接続されており、キャパシタＣ301、Ｃ302の充電時にオンして、インダクタＬ51に発生する電圧Ｖ51によりキャパシタＣ301、Ｃ302を充電可能とする。ダイオードＤ302は、アノードがキャパシタＣ301とダイオードＤ303のカソードとの接続点に接続され、カソードがキャパシタＣ302とスイッチＳ301とスイッチＳ302との接続点に接続されており、キャパシタＣ301、Ｃ302の充電時にオンして、インダクタＬ51に発生する電圧Ｖ51によりキャパシタＣ301、Ｃ302を充電可能とする。ダイオードＤ303は、アノードがキャパシタＣ302とダイオードＤ304のアノードとダイオードＤ305のカソードとの接続点に接続されており、キャパシタＣ301の放電時にオンし、キャパシタＣ301によるキャパシタＣ303への充電を可能とする。ダイオードＤ304は、カソードが端子Ｔin2に接続されており、キャパシタＣ301、Ｃ302の充電時にオンして、インダクタＬ51に発生する電圧Ｖ51によりキャパシタＣ301、Ｃ302の充電を可能とする。ダイオードＤ305は、キャパシタＣ303の充電時にオンして、キャパシタＣ301、Ｃ302によるキャパシタＣ303の充電を可能とする。
【０１８１】
キャパシタＣ301は、インダクタＬ51に発生する電圧Ｖ51の｛（１／２）×Ｖ51｝に充電可能とされている。キャパシタＣ302は、他端がダイオードＤ304を介して端子Ｔin2に接続されており、インダクタＬ51に発生する電圧Ｖ51の｛（１／２）×Ｖ51｝に充電可能とされている。
【０１８２】
スイッチＳ301は、制御回路１２０２から供給されるスイッチングパルスによりスイッチングされ、キャパシタＣ301、Ｃ302の充電時にオフされ、キャパシタＣ301、Ｃ302の放電時にオンされる。スイッチＳ302は、制御回路１２０２から供給されるスイッチングパルスによりスイッチングされ、キャパシタＣ301、Ｃ302の充電時にオフされ、キャパシタＣ301、Ｃ302の放電時にオンされる。
【０１８３】
〔動作〕
次にその動作を説明する。
【０１８４】
図２５は本発明の第１２実施例の動作説明図を示す。図２５（Ａ）はスイッチＳ51、図２５（Ｂ）はスイッチＳ301、図２５（Ｃ）はスイッチＳ302のスイッチングの状態を示している。
【０１８５】
時刻ｔ121〜ｔ122で、制御回路１２０２により、まず、スイッチＳ51、Ｓ301、Ｓ302をオフすることにより、キャパシタＣ301、Ｃ302の各々にインダクタＬ51で発生する電圧Ｖ51が分割された電圧｛（１／２）×Ｖ51｝が印加され、キャパシタＣ301、Ｃ302の各々が充電電圧｛（１／２）×Ｖ51｝に充電される。
【０１８６】
次に、時刻ｔ122〜ｔ123で、制御回路１２０２により、スイッチＳ51、Ｓ301、Ｓ302をオンすることにより、キャパシタＣ301、Ｃ302によりキャパシタＣ303が−｛（１／２）×Ｖ51｝に充電される。これにより、出力端子Ｔout301から出力電圧Ｖout301としてキャパシタＣ303の充電電圧−｛（１／２）×Ｖ51｝が出力される。
【０１８７】
本実施例によれば、出力端子Ｔout301から出力電圧Ｖout301としてキャパシタＣ303の充電電圧−｛（１／２）×Ｖ51｝を出力することが可能となる。
【０１８８】
〔第１３実施例〕
図２６は本発明の第１３実施例の回路構成図を示す。同図中、図６と同一構成部分には同一符号を付し、説明は省略する。
【０１８９】
本実施例の電源装置１３００は、正極性電源電圧生成回路１３０４の構成が第３実施例の正極性電源電圧生成回路３０４とは相違する。
本実施例の正電源電圧生成回路１３０４は、ダイオードＤ401、Ｄ402、Ｄ403、Ｄ404、Ｄ405、キャパシタＣ401、Ｃ402、Ｃ403、Ｃ404、Ｃ405、スイッチＳ401、Ｓ402、Ｓ403、Ｓ404から構成される。
【０１９０】
ダイオードＤ401は、アノードがインダクタＬ31とキャパシタＣ31との接続点に接続され、カソードがダイオードＤ404のアノードとキャパシタＣ401との接続点に接続されており、キャパシタＣ401の充電時にオンして、キャパシタＣ401にインダクタＬ31の電位を印加し、インダクタＬ31によりキャパシタＣ401を充電可能とする。ダイオードＤ402は、アノードがインダクタＬ31とキャパシタＣ31との接続点に接続され、カソードがスイッチＳ402とキャパシタＣ402とダイオードＤ405のアノードとの接続点に接続されており、キャパシタＣ401、Ｃ402、Ｃ403の充電時にオンして、キャパシタＣ402を充電可能とする。ダイオードＤ403は、アノードがインダクタＬ31とキャパシタＣ31との接続点に接続され、カソードがキャパシタＣ403とスイッチＳ403との接続点に接続されており、キャパシタＣ403の充電時にオンして、キャパシタＣ403にインダクタＬ31の電位を印加し、インダクタＬ31によりキャパシタＣ403を充電可能とする。ダイオードＤ404は、カソードがキャパシタＣ404と出力端子Ｔout401との接続点に接続されており、キャパシタＣ404の充電時にオンして、キャパシタＣ404をキャパシタＣ401、Ｃ402、Ｃ403の充電電圧によって充電可能とする。ダイオードＤ405は、カソードがキャパシタＣ405と出力端子Ｔout402との接続点に接続されており、キャパシタＣ405の充電時にオンして、キャパシタＣ405をキャパシタＣ402、Ｃ403の充電電圧によって、充電可能とする。
【０１９１】
キャパシタＣ401は、他端がスイッチＳ401とスイッチＳ402との接続点に接続されており、インダクタＬ31に発生する電圧Ｖ31により充電可能されている。キャパシタＣ402は、他端がスイッチＳ403とスイッチＳ404との接続点に接続されており、インダクタＬ31に発生する電圧Ｖ31により充電可能されている。キャパシタＣ403は、他端が端子Ｔin2に接続されており、インダクタＬ31に発生する電圧Ｖ31により充電可能されている。キャパシタＣ404は、一端がダイオードＤ404のカソードと出力端子Ｔout401との接続点に接続され、他端が端子Ｔin2に接続されており、キャパシタＣ401、Ｃ402、Ｃ403の充電電圧Ｖ31を加算した電圧Ｖ＋（３×Ｖ31）によって充電可能とされている。キャパシタＣ405は、一端がダイオードＤ405のカソードと出力端子Ｔout402との接続点に接続され、他端が端子Ｔin2に接続されており、キャパシタＣ402、Ｃ403の充電電圧Ｖ31を加算した電圧Ｖ＋（２×Ｖ31）によって充電可能とされている。
【０１９２】
スイッチＳ401は、他端が端子Ｔin2に接続されており、制御回路１３０２から供給されるスイッチングパルスによりスイッチングされ、キャパシタＣ401の充電時にオンされて、キャパシタＣ401をインダクタＬ31に発生する電圧Ｖ31により充電可能とする。スイッチＳ402は、制御回路１３０２から供給されるスイッチングパルスによりスイッチングされ、キャパシタＣ401、Ｃ402、Ｃ403の放電時にオンされて、キャパシタＣ401とキャパシタＣ402とを接続する。スイッチＳ403は、一端がキャパシタＣ402とスイッチＳ404との接続点に接続され、制御回路１３０２から供給されるスイッチングパルスによりスイッチングされ、キャパシタＣ401、Ｃ402、Ｃ403の放電時にオンされて、キャパシタＣ402とキャパシタＣ403とを接続する。スイッチＳ404は、他端が端子Ｔin2に接続されており、制御回路１３０２から供給されるスイッチングパルスによりスイッチングされ、キャパシタＣ402の充電時にオンされて、キャパシタＣ402をインダクタＬ31に発生する電圧Ｖ31により充電可能とする。
【０１９３】
〔動作〕
次にその動作を説明する。
【０１９４】
図２７は本発明の第１３実施例の動作説明図を示す。図２７（Ａ）はスイッチＳ31、図２７（Ｂ）はスイッチＳ401、図２７（Ｃ）はスイッチＳ402、図２７（Ｄ）はスイッチＳ403、図２７（Ｅ）はスイッチＳ404のスイッチングの状態を示している。
【０１９５】
時刻ｔ131〜ｔ132で、制御回路１３０２により、まず、スイッチＳ31、Ｓ402、Ｓ403をオフし、スイッチＳ401、Ｓ404をオンすることにより、キャパシタＣ401、Ｃ402、Ｃ403の各々にインダクタＬ31で発生した電圧が印加され、キャパシタＣ401、Ｃ402、Ｃ403の各々が電圧Ｖ31に充電される。
【０１９６】
次に、時刻ｔ132〜ｔ133で、制御回路１３０２により、スイッチＳ31、Ｓ402、Ｓ403をオンし、スイッチＳ401、Ｓ404をオフすることにより、キャパシタＣ401、Ｃ402、Ｃ403が直列に接続され、キャパシタＣ404がキャパシタＣ401、Ｃ402、Ｃ403の各々充電電圧Ｖ31を加算した電圧（３×Ｖ31）によって、充電される。キャパシタＣ404に充電された電圧は、出力端子Ｔout401より出力電圧Ｖout401として出力される。
【０１９７】
また、このとき、キャパシタＣ405には、キャパシタＣ402、Ｃ403の各々の充電電圧Ｖ31を加算した電圧（２×Ｖ31）によって、充電される。キャパシタＣ405に充電された電圧は、出力端子Ｔout402より出力電圧Ｖout402として出力される。
【０１９８】
以上、本実施例によれば、出力端子Ｔout31より出力電圧Ｖout31＝Ｖ31、出力端子Ｔout401より出力電圧Ｖout401＝＋（２×Ｖ31）、出力端子Ｔout402より出力電圧Ｖout402＝＋（３×Ｖ31）を出力することができる。
【０１９９】
〔第１４実施例〕
図２８は本発明の第１４実施例の回路構成図を示す。同図中、図６と同一構成部分には同一符号を付し、その説明は省略する。
【０２００】
本実施例の電源装置１４００は、第３実施例の正極性電源電圧生成回路３０４に代えて、正負極性電源電圧生成回路１４０４を設けた構成とされている。
【０２０１】
本実施例の正負電源電圧生成回路１４０４は、ダイオードＤ501、Ｄ502、Ｄ503、Ｄ504、キャパシタＣ501、Ｃ502、Ｃ503、Ｃ504、スイッチＳ501、Ｓ502、Ｓ503、Ｓ504、Ｓ505から構成される。
【０２０２】
ダイオードＤ501は、アノードがスイッチＳ501の他端に接続され、カソードがダイオードＤ503のアノードとキャパシタＣ501とスイッチＳ502の接続点に接続されており、キャパシタＣ501の充電時にオンして、キャパシタＣ501にインダクタＬ31の電位を印加し、インダクタンスＬ31によりキャパシタＣ501を充電可能とする。ダイオードＤ502は、アノードがスイッチＳ501の他端に接続され、カソードがスイッチＳ504とキャパシタＣ502との接続点に接続されており、キャパシタＣ502の充電時にオンして、キャパシタＣ502を充電可能とする。ダイオードＤ503は、カソードがキャパシタＣ504と出力端子Ｔout501との接続点に接続されており、キャパシタＣ501、Ｃ502の放電時にオンして、キャパシタＣ501、Ｃ502の充電電圧によりキャパシタＣ504を充電可能とする。ダイオードＤ504は、アノードがキャパシタＣ503と出力端子Ｔout502との接続点に接続され、他端が端子Ｔin2に接続されており、キャパシタＣ501、Ｃ502の放電時にオンして、キャパシタＣ501、Ｃ502の充電電圧によりキャパシタＣ503を充電可能とする。
【０２０３】
キャパシタＣ501は、インダクタＬ31に発生する電圧Ｖ31により充電可能されている。キャパシタＣ502は、インダクタＬ31に発生する電圧Ｖ31により充電可能されている。キャパシタＣ503は、キャパシタＣ501、Ｃ502の充電電圧により充電可能とされている。キャパシタＣ504は、キャパシタＣ501、Ｃ502の充電電圧により充電可能とされている。
【０２０４】
スイッチＳ501は、一端がインダクタＬ31とキャパシタＣ31と出力端子Ｔout31との接続点に接続され、制御回路１４０２から供給されるスイッチングパルスによりスイッチングされ、キャパシタＣ501、Ｃ502の充電時にオンされて、キャパシタＣ501、Ｃ502をインダクタＬ31に発生する電圧Ｖ31により充電可能とする。スイッチＳ502は、他端が端子Ｔin2に接続されており、制御回路１４０２から供給されるスイッチングパルスによりスイッチングされ、キャパシタＣ501、Ｃ502の放電時にオンされて、キャパシタＣ501、Ｃ502を放電可能とする。スイッチＳ503は、他端が端子Ｔin2に接続されており、制御回路１４０２から供給されるスイッチングパルスによりスイッチングされ、キャパシタＣ501の充電時にオンされて、キャパシタＣ501を充電可能とする。スイッチＳ504は、他端がダイオードＤ502のカソードとスイッチＳ504とキャパシタＣ502との接続点に接続されており、制御回路１４０２から供給されるスイッチングパルスによりスイッチングされ、キャパシタＣ501、Ｃ502の放電時にオンされて、キャパシタＣ501、Ｃ502を放電可能とする。スイッチＳ505は、他端が端子Ｔin2に接続されており、制御回路１４０２から供給されるスイッチングパルスによりスイッチングされ、キャパシタＣ502の充電時にオンされて、キャパシタＣ502を充電可能とする。
【０２０５】
〔動作〕
次にその動作を説明する。
【０２０６】
図２９は本発明の第１４実施例の動作説明図を示す。図２９（Ａ）はスイッチＳ31、図２９（Ｂ）はスイッチＳ501、図２９（Ｃ）はスイッチＳ502、図２９（Ｄ）はスイッチＳ503、図２９（Ｅ）はスイッチＳ504、図２９（Ｆ）はスイッチＳ505のスイッチングの状態を示している。
【０２０７】
まず、負極性電源電圧を出力する場合における動作について説明する。
【０２０８】
時刻ｔ141〜ｔ142で、制御回路１４０２により、スイッチＳ31、Ｓ502、Ｓ504をオフし、スイッチＳ501、Ｓ503、Ｓ505をオンすることにより、キャパシタＣ501、Ｃ502の各々にインダクタＬ31で発生した電圧Ｖ31が印加され、キャパシタＣ501、Ｃ502の各々が電圧Ｖ31に充電される。
【０２０９】
次に、時刻ｔ142〜ｔ143で、制御回路１４０２により、スイッチＳ31、Ｓ502、Ｓ504をオンし、スイッチＳ501、Ｓ503、Ｓ505をオフすることにより、キャパシタＣ501、Ｃ502が直列に接続され、キャパシタＣ503がキャパシタＣ501、Ｃ502の各々充電電圧Ｖ31を減算した電圧−（２×Ｖ31）によって、充電される。キャパシタＣ503に充電された電圧は、出力端子Ｔout502より出力電圧Ｖout502として出力される。
【０２１０】
次に、正極性電源電圧を出力する場合における動作について説明する。
【０２１１】
また、時刻ｔ141〜時刻ｔ142で、制御回路１４０２により、スイッチＳ31、Ｓ502、Ｓ504をオフし、スイッチＳ501、Ｓ503、Ｓ505をオンすることにより、キャパシタＣ501、Ｃ502の各々にインダクタＬ31で発生した電圧Ｖ31が印加され、キャパシタＣ501、Ｃ502の各々が電圧Ｖ31に充電される。
【０２１２】
次に、時刻ｔ142〜ｔ143で、制御回路１４０２により、スイッチＳ31、Ｓ504、Ｓ505をオンし、スイッチＳ501、Ｓ502、Ｓ503をオフすることにより、キャパシタＣ501、Ｃ502が直列に接続され、キャパシタＣ504がキャパシタＣ501、Ｃ502の各々充電電圧Ｖ31を加算した電圧（２×Ｖ31）によって、充電される。キャパシタＣ504に充電された電圧は、出力端子Ｔout501より出力電圧Ｖout501として出力される。
【０２１３】
以上、本実施例によれば、出力端子Ｔout31より出力電圧Ｖout31＝Ｖ31が出力され、かつ、出力端子Ｔout501より出力電圧Ｖout501＝＋（２×Ｖ31）、または、出力端子Ｔout502より出力電圧Ｖout502＝−（２×Ｖ31）を選択的に出力することができる。
【０２１４】
〔効果〕
上記第１〜第１４実施例に記載の電源装置によれば、９３〜９５パーセントの効率を実現可能である。
【０２１５】
〔変形例〕
本実施例の正極性電源電圧生成回路、負極性電源電圧生成回路は、パルス生成回路１０１、３０１、５０１で生成されたパルス電圧の正極性の期間または負極性の期間のいずれ一方の期間で複数のキャパシタを充電し、他方の期間で充電された複数のキャパシタを合成して放電することに充電電圧を逓倍した出力電圧を得ていたが、パルス生成回路１０１、３０１、５０１で生成されたパルス電圧の正極性の期間または負極性の期間を間引くことにより、出力電圧を調整するようにしてもよい。
【０２１６】
図３０は本発明の変形例の動作説明図を示す。図３０は、図１０に示す正極性電源電圧生成回路５０４において、キャパシタＣ34、Ｃ35の充電するパルスを間引いた場合の動作を示すものであり、図３０（Ａ）は出力電圧、図３０（Ｂ）はパルス電圧を示している。
【０２１７】
図３０（Ａ）において、実線は全パルスをサンプリングした場合、破線は２パルスに１回、サンプリングした場合、一点鎖線は３パルスに１回サンプリングした場合の出力電圧Ｖout52を示しており、図３０（Ａ）に示すようにサンプリングレートが低いほど出力電圧を小さくできる。よって、制御回路によって、正極性電源電圧生成回路、負極性電源電圧生成回路のキャパシタを充電するサンプリングレートを調整することにより、出力電圧を調整することが可能となる。
【０２１８】
また、正極性電源電圧生成回路、負極性電源電圧生成回路において充電されるキャパシタの容量を調整することによっても、出力電圧を調整することが可能となる。
【０２１９】
図３１は本発明の他の変形例の動作説明図を示す。図３１は、図１０に示す正極性電源電圧生成回路５０４において、キャパシタＣ34、Ｃ35の容量を変化させた場合の動作を示すものであり、図３１（Ａ）は出力電圧、図３１（Ｂ）はパルス電圧を示している。
【０２２０】
図３１（Ａ）において、実線はキャパシタＣ34、Ｃ35の容量を大きくした場合、破線はキャパシタＣ34、Ｃ35を中程度とした場合、一点鎖線はキャパシタＣ34、Ｃ35の容量を小さく設定した場合の出力電圧Ｖout52を示している。なお、このとき、キャパシタＣ33は、満充電されないようにその容量が設定されている。
【０２２１】
図３１（Ａ）に示すようにキャパシタＣ34、Ｃ35の容量を小さくするほど、出力電圧Ｖout52を小さくできる。よって、制御回路によって、正極性電源電圧生成回路、負極性電源電圧生成回路のキャパシタを調整することにより、出力電圧を調整することが可能となる。
【図面の簡単な説明】
【０２２２】
【図１】本発明の第１実施例の回路構成図である。
【図２】制御回路１０２のブロック構成図である。
【図３】本発明の第１実施例の動作説明図である。
【図４】本発明の第２実施例の回路構成図である。
【図５】本発明の第２実施例の動作説明図である。
【図６】本発明の第３実施例の回路構成図である。
【図７】本発明の第３実施例の動作説明図である。
【図８】本発明の第４実施例の回路構成図である。
【図９】本発明の第４実施例の動作説明図である。
【図１０】本発明の第５実施例の回路構成図である。
【図１１】本発明の第５実施例の動作説明図である。
【図１２】本発明の第６実施例の回路構成図である。
【図１３】本発明の第６実施例の動作説明図である。
【図１４】本発明の第７実施例の回路構成図である。
【図１５】本発明の第７実施例の動作説明図である。
【図１６】本発明の第８実施例の回路構成図である。
【図１７】本発明の第８実施例の動作説明図である。
【図１８】本発明の第９実施例の回路構成図である。
【図１９】本発明の第９実施例の動作説明図である。
【図２０】本発明の第１０実施例の回路構成図である。
【図２１】本発明の第１０実施例の動作説明図である。
【図２２】本発明の第１１実施例の回路構成図である。
【図２３】本発明の第１１実施例の動作説明図である。
【図２４】本発明の第１２実施例の回路構成図である。
【図２５】本発明の第１２実施例の動作説明図である。
【図２６】本発明の第１３実施例の回路構成図である。
【図２７】本発明の第１３実施例の動作説明図である。
【図２８】本発明の第１４実施例の回路構成図である。
【図２９】本発明の第１４実施例の動作説明図である。
【図３０】本発明の変形例の動作説明図である。
【図３１】本発明の他の変形例の動作説明図である。
【符号の説明】
【０２２３】
１００、２００、３００、４００、５００、６００、７００、８００、９００、１０００
１１００、１２００、１３００、１４００  電源装置
１０１、３０１、５０１  パルス生成回路
１０２、２０２、３０２、４０２、５０２、６０２、７０２、８０２、９０２、１００２１１０２、１２０２、１３０２  制御回路
１０３、２０４、８０４、１００４、１２０４  負極性電源電圧生成回路
１０４、５０４、７０１、９０４、１１０４、１３０４  正極性電源電圧生成回路
３０３  第１の正極性電源電圧生成回路、３０４  第２の正極性電源電圧生成回路
４０１、６０４、１４０４  正負極性電源電圧生成回路
【図１】
2006191715.tif 000003
【図２】
2006191715.tif 000004
【図３】
2006191715.tif 000005
【図４】
2006191715.tif 000006
【図５】
2006191715.tif 000007
【図６】
2006191715.tif 000008
【図７】
2006191715.tif 000009
【図８】
2006191715.tif 000010
【図９】
2006191715.tif 000011
【図１０】
2006191715.tif 000012
【図１１】
2006191715.tif 000013
【図１２】
2006191715.tif 000014
【図１３】
2006191715.tif 000015
【図１４】
2006191715.tif 000016
【図１５】
2006191715.tif 000017
【図１６】
2006191715.tif 000018
【図１７】
2006191715.tif 000019
【図１８】
2006191715.tif 000020
【図１９】
2006191715.tif 000021
【図２０】
2006191715.tif 000022
【図２１】
2006191715.tif 000023
【図２２】
2006191715.tif 000024
【図２３】
2006191715.tif 000025
【図２４】
2006191715.tif 000026
【図２５】
2006191715.tif 000027
【図２６】
2006191715.tif 000028
【図２７】
2006191715.tif 000029
【図２８】
2006191715.tif 000030
【図２９】
2006191715.tif 000031
【図３０】
2006191715.tif 000032
【図３１】
2006191715.tif 000033